【事件の表示】
　昭和６３年特許願第　６３４５２号「印刷装置」拒絶査定に対する審判事件［平成　１年　９月２２日出願公開、特開平　１−２３７７１７］について、次のとおり審決する。
【結　論】
　本件審判の請求は、成り立たない。
【理　由】
１．本件発明
　本件は、昭和６３年３月１８日の出願であって、その請求項１ないし５に係る発明は、平成１１年８月２日付け手続補正書によって補正された明細書の特許請求の範囲に記載された次のとおりのものと認める。
「（１）外部装置から受信するデータに基づいて印刷部により印刷を行う印刷装置であって、
　受信されたデータに基づいて１ページ分の印刷動作終了後、外部装置からのデータを受信するまでのデータ待ち時間を計測する計測手段と、
　前記印刷装置が、印刷動作を終了している状態で、前記計測手段による計測されるデータ待ち時間が、予め設定された時間に達する場合には、前記外部装置からのデータの受信があるまで前記印刷部への電源供給を節電状態に制御する制御手段と
を備えることを特徴とする印刷装置。
　（２）前記予め設定される時間は、前記外部装置からの情報に基づいて行われることを特徴とする請求項１記載の印刷装置。
　（３）前記予め設定される時間は、前記印刷装置の初期設定時に設定されることを特徴とする請求項１記載の印刷装置。
　（４）前記節電状態は、節電用の電力が供給されていることを特徴とする請求項１記載の印刷装置。
　（５）前記節電状態は、表示用の電力供給が断たれることを特徴とする請求項１記載の印刷装置。」
　
２．刊行物に記載された発明
　これに対して、原査定の拒絶理由で引用した特開昭６２−２８２７７号公報（以下「引用例１」という。）には、以下の各事項が記載されている。
（ａ）「第１の直流電圧（Ｖｃ１）を出力する直流電源（バッテリー１）と、この直流電源の直流電圧を供給されて第２の直流電圧（Ｖｃ２）を出力する電圧制御回路（４）と、前記直流電源から第１の直流電圧が供給され、外部からのデータ入力又はキーボードからのデータ入力を検出する手段と、前記電圧制御回路（４）から第２の直流電圧を供給され、入力されるデータに基づいて前記電圧制御回路（４）から第２の直流電圧を供給されるプリンタ機構部を制御して印字動作を行なわせるとともにプリンタ機構部の印刷動作が停止した後リセット信号を出力する制御部本体と、データ入力検出手段によるデータ入力の検出に応動して前記電圧制御回路（４）に第２の直流電圧を出力する制御動作を行なわせ、かつ前記制御部本体からのリセット信号に応動して前記電圧制御回路（４）に第２の直流電圧の出力を停止させる制御動作を行なわせる手段とを設けたプリンタ（印刷装置）。」（特許請求の範囲、第１図の各記載参照。）
（ｂ）「外部（外部装置）からデータ入力（インターフェース５を介してデータ入力）があると、インターフェース５からのストローブ信号ＳＴＢによりＳＲフリップフロップ９をセットし、ＳＲフリップフロップ９のＱ出力端子の信号によりＪＫフリップフロップ１０（データ入力検出手段）をセットし、ＪＫフリップフロップ１０のＱ出力端子の信号により電圧制御回路４の第３のトランジスタ２１をオフ動作させ、第１、第２のトランジスタ１９、２０をオン動作させて第２の直流電圧Ｖｃ２を立上げ（電圧制御回路４に第２の直流電圧Ｖｃ２を出力する制御動作を行なわせ）、第２の直流電圧Ｖｃ２をリセット回路１３を介してＣＰＵ１２（制御部本体）に供給し、これによりＣＰＵ１２は動作を開始してラッチ回路６及びＩ／Ｏポート１４を介してデータを取込み、ＲＡＭ１１を使用してデータを印字用に処理し、またラッチ回路６からデータを受取るとラッチ回路７を介してリセット信号を供給してＳＲフリップフロップ９をリセットし、次のデータ入力に対して待機させ、そして印字条件が整ったときにはＩ／Ｏポート１５を介してフィードモータドライバ１６、キャリアモータドライバ１７及びヘッドドライバ１８を制御し、ペーパフィードモータ２９、キャリアモータ３０及び印字ヘッド３１を駆動して（プリンタ機構部を制御し、駆動して）印字動作を行なわせ、印字条件が整わなかったときにはＲＡＭ１１にデータや現在のヘッド位置やその他の情報を格納しておき、また、ＣＰＵ１２は印字動作が終了して次のデータ入力が予め設定された一定時間Ｔ１にわたって無かったときには、今までの中途処理情報をＲＡＭ１１に格納した後Ｉ／Ｏポート１４を介してリセット信号を供給してＪＫフリップフロップ１０をリセットし、ＪＫフリップフロップ１０のＱ出力端子の信号により電圧制御回路４の第３のトランジスタ２１をオン動作させ、第１、第２のトランジスタ１９、２０をオフ動作させて第２の直流電圧Ｖｃ２の出力を停止させ（電圧制御回路４に第２の直流電圧Ｖｃ２の出力を停止させる制御動作を行なわせ）、ＣＰＵ１２、リセット回路１３、Ｉ／Ｏポート１４、１５、各ドライバ１６、１７、１８などへの電源の供給を停止すること。」（第３頁右上欄第１０行目〜第４頁左上欄第５行目の記載参照。）
（ｃ）「前記電源の供給の停止の後、データ入力があったときにそれを検出して直ちに第２の直流電圧Ｖｃ２を立ち上げてＣＰＵ１２の動作を直ちに開始させ、それによって印字動作を開始するようにして、印字動作をスムースに立ち上げるようにすること。」（第４頁右上欄第１２〜１８行目の記載参照。）
　また、同じく引用した特開昭６２−１１７０３４号公報（以下「引用例２」という。）には、「印字データに基づいて印刷部（印字部）により印刷を行う印刷装置（印字装置）であって、所定の印刷動作終了後（印字処理後）、印字データを受信するまでのデータ待ち時間を計測して、前記データ待ち時間が予め設定された時間（一定時間）に達する場合には、前記印刷部への電源供給を節電状態（電源スイッチをオフ）にする印刷装置において、所定の印刷動作終了後、印字データを受信するまでのデータ待ち時間を計測する計測手段（タイマー）を備えて、前記計測手段により前記データ待ち時間を計測すること。」が記載されている。（第１頁右下欄第１２行目〜第２頁右上欄第１１行目、第１、２図の各記載参照。）
　
３．対比・判断
　そこで、本件の請求項１に係る発明（以下「本件発明」という。）と上記引用例１に記載されたものとを対比すると、引用例１に記載された「プリンタ機構部」、「一定時間Ｔ１」のそれぞれは、本件発明の「印刷部」、「データ待ち時間」のそれぞれに相当するので、両者は、「外部装置から受信するデータに基づいて印刷部により印刷を行う印刷装置であって、受信されたデータに基づいて所定の印刷動作終了後、前記印刷装置が、印刷動作を終了している状態で、外部装置からのデータを受信するまでのデータ待ち時間が、予め設定された時間に達する場合には、前記外部装置からのデータの受信があるまで前記印刷部への電源供給を節電状態に制御する制御手段を備えた印刷装置」である点で一致し、次の各点で相違するものと認められる。
（１）本件発明が、所定の印刷動作終了後、外部装置からのデータを受信するまでのデータ待ち時間を計測する計測手段を備えて、前記計測手段により前記データ待ち時間を計測するようにしているのに対して、引用例１に記載されたものは、このようにしていない点。
（２）本件発明が、所定の印刷を、１頁分の印刷としているのに対して、引用例１に記載されたものは、このようにしていない点。
　
　そこで、前記各相違点について検討する。
　
　相違点（１）について、
　上記引用例２には、印字データに基づいて印刷部により印刷を行う印刷装置であって、所定の印刷動作終了後、印字データを受信するまでのデータ待ち時間を計測して、前記データ待ち時間が予め設定された時間に達する場合には、前記印刷部への電源供給を節電状態にする印刷装置において、所定の印刷動作終了後、印字データを受信するまでのデータ待ち時間を計測する計測手段を備えて、前記計測手段により前記データ待ち時間を計測することが記載されているので、上記引用例１に記載されたものにおいても、引用例２に記載された技術事項を採用して、本件発明のように構成することは当業者が容易になし得ることと認められる。
　
　相違点（２）について、
　所定の印刷を１頁分印刷とすることについて、本件の明細書及び図面の記載をみても、その技術的意義は明確でないが、一般に、印刷は頁単位に（１頁分毎）に行うことも含めて当業者が適宜に定める事項であるから、上記引用例１に記載されたものにおいても、所定の印刷を単に１頁分の印刷とする程度のことは当業者が容易になし得ることと認められる。　
　
４．まとめ
　したがって、本件の請求項１に係る発明は、上記各引用例１ないし２に記載された発明に基づいて当業者が容易に発明をすることができたものと認められるので、特許法第２９条第２項の規定により特許を受けることができない。
　よって、結論のとおり審決する。